(57)【要約】【構成】Ｏリング４の内径でピアスピン２と係合係止できるようにしたキャッチにおいて、シリコンゴム本体にＯリング４を１個または２個収納できるリング状溝６と、リング状溝９のリング中心と一直線のピアスピン２を挿入できるＯリング４の外径より若干小径の孔５と、ピアスピン２の外径より若干大径の孔７を形成した装身用装飾具のキャッチ。【効果】従来のシリコンゴムなどで製作されたキャッチは、脆いので削れ易く、すぐ劣化するものに比較してＯリングを採用し、しかも拡大する場合も間隙に逃げて押しつぶされることが極めて少ないので、劣化することがない。また、キャッチの取り付け、取り外しが極めて簡単にできる。さらに、キャッチが抜けてしまうことが極めて少ない。【選択図】　　　図１
2004141193.tif 000002
【特許請求の範囲】
【請求項１】
Ｏリングの内径でピアスピンと係合係止できるようにしたキャッチにおいて、シリコンゴム本体にＯリングを収納できるリング状溝と、リング状溝のリング中心と一直線のピアスピンを挿入できるＯリングの外径より若干小径の孔と、ピアスピンの外径より若干大径の孔を形成したことを特徴とする装身用装飾具のキャッチ。
【請求項２】
Ｏリングの内径でピアスピンと係合係止できるようにしたキャッチにおいて、シリコンゴム本体に２個のＯリングを並列して収納できるリング状溝と、リング状溝のリング中心と一直線のピアスピンを挿入できるＯリングの外径より若干小径の孔と、ピアスピンの外径より若干大径の孔を形成したことを特徴とする装身用装飾具のキャッチ。
【発明の詳細な説明】
【０００１】
【発明の属する技術分野】
本発明は、ピアス、ネックレス、ブレスレット、ブローチ等の装身用装飾具のキャッチに関するものである。
【０００２】
【従来の技術】
従来、中央にピアスピン挿通孔を備えた基板と、この両側よりのびる湾曲部とからなる金属製キャッチ基体と、当該金属製キャッチ基体の湾曲部を嵌め込む窪み部と、この窪み部の側面より前記湾曲部内部に向かって形成された膨満部と、窪み部の中央より後方に伸びる小径の貫通孔とよりなるシリコンゴムとからなり、前記窪み部内に金属製キャッチ基体の湾曲部を嵌め込み、湾曲部内に膨満部を嵌合させるピアスイヤリング用キャッチ（例えば特許文献１を参照）が存在している。
【０００３】
また、ピアスを装着する際に、装飾部に設けたピンが貫通し、ピンの直径よりも小さい孔径を持った筒状のピン孔と、このピン孔に連続してピン孔の半径方向に向かって形成された１又は複数個のスリットとを備え、本体を樹脂製としたピアス用キャッチ（例えば特許文献２を参照）が存在している。
【０００４】
【特許文献１】
特開２００１−１２０３１３号公報（特許請求の範囲、請求項１、請求項２、図３）
【特許文献２】
特開平８−２３８１１７号公報（特許請求の範囲、発明の詳細な説明の第２頁第１欄４９行〜第２頁第２欄７行、図１、図２、図３）
【０００５】
【発明が解決しようとする課題】
しかしながら、前記特許文献１の従来技術のピアスイヤリング用キャッチは、金属製キャッチ基体の内外を代表的なシリコンゴムのゴム弾性体で密着して埋設して一体化したもので、中央に孔を穿設し、この孔にピアスピンを出し入れして脱着を頻繁に行うので、シリコンゴムが削れてしまう。この脱着作用によりキズが付くため老化して脆くなり、キャッチの役目をなさなくなる。また、新品のキャッチは確実にピアスピンを固着しているので、例えば、子供がピアスを引っ張った場合等、キャッチが外れないので耳を傷める欠点がある。
【０００６】
また、特許文献２の従来技術のピアス用キャッチは、樹脂製のキャッチ本体にピアスを装着する際に、装飾部に設けたピンが貫通し、ピンの直径よりも小さい孔径を持った筒状のピン孔と、このピン孔に連続してピン孔の半径方向に向かって形成された１又は複数個のスリットとを備えたものでピン孔から連続したスリットが開いて、ピン孔を拡張しピンを貫通させるため、確かにピンを挿入する際に開いたスリットは、樹脂の弾性により締まる方向に力が働き、この弾性力がピンを締め付け、ピンは抜けないと述べているが、ピアスのピンが装着し易いキャッチであれば、逆に抜け易くなってしまうという欠点がある。
【０００７】
本発明は、このような事情に鑑み、キャッチの係止部で耐久性を高める上で重要な機能を司る弾性体の材料として弾性力の強い、例えばニトリル合成ゴム製Ｏリングを選択し、ピアスピンとの繰り返し行われる脱着作用がシリコンゴムでなくＯリングで行うことにより、Ｏリングを囲んでいる人体に害の少ないシリコンゴムの劣化を防止するものである。すなわち、ピアスピンに係合させる部分をＯリングで司るようにＯリングを囲むシリコンゴム本体で形成された装身用装飾具のキャッチを提供することを目的とするものである。
【０００８】
【課題を解決するための手段】
本発明は、前記課題の解決を図ったもので、次のような技術手段を採用した。請求項１記載の発明においては、Ｏリングの内径でピアスピンと係合係止できるようにしたキャッチにおいて、シリコンゴム本体にＯリングを収納できるリング状溝と、リング状溝のリング中心と一直線のピアスピンを挿入できるＯリングの外径より若干小径の孔と、ピアスピンの外径より若干大径の孔を形成するという技術手段を採用した。
【０００９】
請求項２記載の発明においては、Ｏリングの内径でピアスピンと係合係止できるようにしたキャッチにおいて、シリコンゴム本体に２個のＯリングを並列して収納できるリング状溝と、リング状溝のリング中心と一直線のピアスピンを挿入できるＯリングの外径より若干小径の孔と、ピアスピンの外径より若干大径の孔を形成するという技術手段を採用した。
【００１０】
【発明の実施の形態】
本発明の実施の形態について図面を参照しながら説明する。
図１は、本発明の装身用装飾具のキャッチにおける第１実施例を示す横断面図、図２はピアスピンの１実施例を示す正面図である。
この第１実施例は弾性力の強い、例えばニトリル合成ゴム製のＯリング４を１個収納して形成したキャッチである。この具体的な構成は、Ｏリング４を１個収納できるようにした略球状、あるいは略円柱状のシリコンゴムで形成したキャッチ本体１にピアスピン２を挿通する挿通孔３を形成し、この挿通孔３はＯリング４を挿入するためのＯリング４の外径より若干小径の孔５を一方に形成し、このキャッチ本体１に形成した一方のＯリング４の外径より若干小径の孔５側は、Ｏリング４を挿入した際に係止するための壁部１０が設けられている。この壁部１０は厚さを薄くしてシリコンゴムの弾性力を利用して無理な力を加えてＯリング４を挿入しないでもよいようにする。このＯリング４の外径より若干小径の孔５よりＯリング４を挿入して、略ボール状のキャッチ本体１の外周側に近いＯリング４が挿入しても良いだけの肉厚が残る部位にリング状の溝６を形成し、Ｏリング４の外径より若干小径の孔５の反対側には、ピアスピン２が挿通できるピアスピン２の外径より若干大径の孔７が形成されている。Ｏリング４は抜け出てしまうことはない孔径である。
【００１１】
Ｏリング４は、図２に示すピアス用であるピアスピン２、その他ボールチェーン等が挿入できる孔を有している。また、ネックレス、ブレスレット等であればベネチアンチェーン、ボールチェーン等が挿入できるように孔を有している。
【００１２】
このようにＯリング４の外径より若干大きいリング状の溝６を形成したシリコンゴムから成る略球状、略円柱状のキャッチ本体１により、ピアスピン２やチェーンをＯリング４に挿入貫通する際、Ｏリング４内径を拡張しながら挿入されるが、前記Ｏリング４の外径とリング状の溝６間にできる間隙分だけ外周側に変形拡大され、無理な押しつぶしがされないものである。しかも、シリコンゴム製のキャッチ本体も弾性体であるので、若干の変形も作用してピアスピン２が挿入された後は、しっかり抜けない状態で保持するものである。
【００１３】
ピアス用のピアスピン２の一実施例としては、大径部８とＲ溝等により形成された小径部９を交互に設けたもので、ピアスピン２をＯリング４に挿入貫通する際、大径部８が通過する時、Ｏリング４はシリコンゴムから成るキャッチ本体１に形成されたリング状の溝６の部分に逃げるように拡大されるために、Ｏリング４をつぶした状態で長期間おかれることはなく、劣化を防止できるものである。
【００１４】
そして、さらに押し込むことで、ピアスピン２の周囲にＲ溝により形成された小径部９にＯリング４が位置した時にＯリング４の弾性力で縮径して、固着した状態を維持できるものである。
【００１５】
次に、図３に基づいてキャッチの第２実施例について説明する。
キャッチ１自体が大きくなり過ぎない程度で２個のＯリング４を収納できるようにしたもので、Ｏリング４を２個並列して収納できるリング状の溝６を形成したもので、他の構成は図１に示した第１実施例と同一なので、詳細な説明は省略する。
【００１６】
また、キャッチとして、シリコンゴム製のキャッチ本体１の内部に若干の間隙を有してＯリング４を埋設した状態で挿入されているので、万が一キャッチ本体１に外力が加わっても一体のキャッチでないため、キャッチ本体１が変形してもＯリング４はピアスピンに弾性力でしっかり保持されたまま、なかなか変形して抜けてしまうことがない。ところが、従来のように一体のキャッチや金属製キャッチ基体をシリコンゴム内に埋設して一体化したキャッチでは、キャッチ本体１に外力が掛ると直接抜けてしまう作用がでてしまい、簡単に抜けてしまう。
【００１７】
【発明の効果】
本発明は、以上の構成を採用した結果、次のような効果を得ることができる。
（１）従来のシリコンゴムなどで製作されたキャッチは、脆いので削れ易く、すぐ劣化するものに比較してＯリングを採用し、しかも拡大する場合も間隙に逃げて押しつぶされることが極めて少ないので、劣化することがない。
（２）キャッチの取り付け、取り外しが極めて簡単にできる。
（３）キャッチが抜けてしまうことが極めて少ない。
【図面の簡単な説明】
【図１】本発明における装身用装飾具のキャッチの第１実施例を示す縦断面図である。
【図２】本発明に使用するピアスピンの一実施例を示す正面図である。
【図３】本発明における装身用装飾具のキャッチの第２実施例を示す縦断面図である。
【符号の説明】
１‥‥キャッチ本体　　　　　　　　　　　２‥‥ピアスピン
３‥‥挿通孔　　　　　　　　　　　　　　４・・・・Ｏリング
５・・・・若干小径の孔　　　　　　　　　　　６・・・・リング状の溝
７・・・・若干大径の孔　　　　　　　　　　　８・・・・大径部
９・・・・小径部　　　　　　　　　　　　　１０・・・・壁部
【図１】
2004141193.tif 000003
【図２】
2004141193.tif 000004
【図３】
2004141193.tif 000005